Podtech/llm-jp-corpus-v4-ja_patent huggingface dataset:
(57)【要約】      （修正有）【課題】大切な植木鉢と花を、水はけを妨げる事無く、しかも簡単な作業で、それらを盗難から守ることができる植木鉢盗難防止連結チェーンを提供する。【解決手段】植木鉢の底穴の径から抜けない長さかつ、鉢底に納まる程度の大きさのＳ字様フックのＳ字の中心部にワイヤー２本を接続し取り付け、それぞれのワイヤーの先端にチェーンを接続し取り付け、チェーンの先端に錠等を取り付ける為の輪を接続し取り付ける。【選択図】図１
0003154048.tif 000002
【実用新案登録請求の範囲】
【請求項１】
通常に市販されている植木鉢に用いて、植木鉢の盗難に備える為のもの。植木鉢の底穴の径から抜けない長さで、鉢底に納まる程度の大きさのＳ字様フック、その中心部にワイヤー２本、それぞれのワイヤーの先にチェーン、チェーンの先端に錠等を取り付ける為の輪、それらを一体化した、植木鉢盗難防止連結チェーンである。
【請求項２】
○形、あるいは、多角形フックの、その中央部分に軸をつけたもの。その中心部にワーヤー２本、それぞれのワイヤーの先にチェーンを接続し、そのチェーンの先端に錠等を取り付ける為の輪。それらを一体化した植木鉢盗難防止チェーンである。
【考案の詳細な説明】
【技術分野】
【０００１】  本考案は植木鉢をチェーン・錠で固定し、大切な鉢の盗難を防止、あるいは盗難の抑止力として用いる。
【背景技術】
【０００２】庭を持つことが困難な都市生活、又、通行人を楽しませる為に、玄関先にガーデニングを楽しむ愛好家が多いが、それらは鉢ごと盗難に遇うこともよくある。しかも愛好家がそれらにかける費用は決して安価なものではない。安全性を求め、不恰好な盗難対策をしたり、こだわりの鉢をあきらめざるをえないのは、愛好家にとっては残念である。今現在、それに対応する為の商品は無いと考えられる。
【考案の概要】
【考案が解決しようとする課題】
【０００３】盗難に備えて植木鉢を固定したいが、土の水はけを妨げることは、根腐れを招くので、避けたい。また、見た目にも無粋になることも避けたい。
【課題を解決するための手段】
【０００４】本考案は、ガーデニング愛好家が、それぞれに用意した好みの鉢に、本考案を装着し、その上に普段通りに花や植栽を植え込む。そして、チェーンの先の輪に錠、あるいは市販の結束バンド等で連結する。固定の方法は、「０００９」、「００１０」項で説明する。
ただし、プラスチック製の鉢によくある、鉢底が丸穴になっていないものには適さないが、その部分をカッター等で切り取り穴状にすれば、使用可能となる。
【考案の効果】
【０００５】本考案を使うことで、安易な盗難を防止することが出来る。又、植木鉢と本考案を一体化することで、連結部の錠・結束バンド等を外せば、自由に鉢の移動も可能となり、植栽の植替えも可能である。しかも水はけを妨げない。
【図面の簡単な説明】
【０００６】
【図１】本考案の形。
【図２】（ａ）植木鉢に本考案をセットしようとする図。（ｂ）セットした本考案を真上から見た図。
【図３】図２に図１を平らにセットした時の図。
【図４】植木鉢に本考案を使用し、用土及び植栽を植え込んだ時の断面図。
【図５】錠を利用し固定、又、複数の鉢を連結した時のイメージ図。
【考案を実施するための形態】
【０００７】鉢底穴の径から抜けない大きさのＳ字様フック  図１（ａ）、あるいは○形・多角形  図１（ｂ）（ｃ）（ｄ）（ｅ）。Ｓ字様以外では中央部に軸がある方がフックを平らにセットできるため安定する  図１（イ）。中央部の軸に鉢底の半径より長い金属製の紐状のもの（ワイヤー等）を２本連結させる  図１（ウ）。
金属製の紐状のもの（ワイヤー、極細目のチェーン等）のそれぞれの先に、連結に充分な長さの鎖状のもの（チェーン等）を連結させる  図１（エ）。
鎖状のもの（チェーン等）の先端には錠等を付ける為のリング状のものを取り付ける  図１（オ）。
つまり、Ｓ字様、あるいは○形・多角形フックに２本の紐状のもの（ワイヤー等）、鎖状のもの（チェーン等）、リング状のものを一体化させたものである。
【０００８】これらは、ある程度の耐水性を必要とする。
【実施例】
【０００９】以下、添付図面に従って実施例を説明する。
図２（ａ）は本考案を植木鉢の中から鉢底の穴を通す時の図。
図２（ｂ）本考案をセットした鉢を上から見た図。
図２（ａ）のように、本考案を空状態の鉢の中から入れ、底穴に通す。底穴を通したら、図３のようにＳ字様、あるいは○形・多角形フックを底に平らに置く。【００１０】図４のようにＳ字様、あるいは○形・多角形フックの上に、いつも通りに、鉢底石（Ｃ）、土（ｄ）植栽（ｅ）を植え込む。鉢底から出たワイヤー、チェーン、リングを一体化させた本考案を図５（ｆ）のように、門柱等の固定しているものに巻き付け、錠等で固定、あるいは図５（ｇ）のように、鉢と鉢を連結する。
【産業上の利用可能性】
【００１１】フラワーセンター等に行くと、ガーデニングを楽しむ人々が多い事を実感させられる。盗難等のリスクを考えずに、安心して庭先を飾ることができるニーズが求められていると考える。チェーン・錠・鍵をカラフルにしたり、遊び心を感じさせる製品が出来れば、消費者に受け入れられると考える。また、ガーデニング愛好家は植木鉢そのものにもこだわりがあるので、盗難防止にはしるあまり買い求める植木鉢の制限がある事は非常に残念である。好みの鉢にそのまま使用できるグッズが必要と考えられる。
【符号の説明】
【００１２】１  本考案
２  植木鉢
３  錠
４  門柱等
５  植栽
【図１】
0003154048.tif 000003
【図２】
0003154048.tif 000004
【図３】
0003154048.tif 000005
【図４】
0003154048.tif 000006
【図５】
0003154048.tif 000007
【手続補正書】
【提出日】平成21年7月13日(2009.7.13)
【手続補正１】
【補正対象書類名】実用新案登録請求の範囲
【補正対象項目名】全文
【補正方法】変更
【補正の内容】
【実用新案登録請求の範囲】
【請求項１】
通常に市販されている植木鉢に用いて、植木鉢の盗難に備える為のもの、植木鉢の底穴の径から抜けない長さかつ、鉢底に納まる程度の大きさのＳ字様フック、Ｓ字の中心部にワイヤー２本を接続し取り付け、それぞれのワイヤーの先端にチェーンを接続し取り付け、チェーンの先端に錠等を取り付ける為の輪を接続し取り付け、以上Ｓ字様フック、ワイヤー、チェーン、鍵等を取り付ける為の輪を一体化した、植木鉢盗難防止連結チェーン。
【請求項２】
○形、あるいは多角形フックの外郭を二分するように中心部に軸をつけ、軸の中心にワイヤー２本を接続し取り付け、それぞれのワイヤーの先端にチェーンを接続し、そのチェーンの先端に錠等を取り付ける為の輪を接続取り付け、以上○形、および多角形フック、ワイヤー、チェーン、鍵等を取り付ける為の輪を一体化した、植木鉢盗難防止連結チェーン。
(57)【要約】      （修正有）【課題】サバイバルゲームにおいて、使用者の耳の部分を物理的な被弾から保護すると共に使用者の好み及び身体的特徴に合わせた調整が可能である構造を一つの物体に同時に設けた耳部保護覆いを提供する。【解決手段】使用者の着用している保護用ゴーグルの固定用バンドを当案件の耳部分保護覆いに付属する固定用付属品各種を用いて挟み込むもしくは通す、またはパイルアンドフックを直接巻きつけ、それ自体を固定用付属品とする等して利用し、装着及び調整可能な構造を有し、且つ使用者の好み及び身体的特徴に合わせた調整が可能である構造を一つの物体に同時に設けた構造とする。【選択図】図１
0003154045.tif 000002
【実用新案登録請求の範囲】
【請求項１】
サバイバルゲームにおいて、使用者が着用している保護用ゴーグルの固定用バンドを利用し、装着使用者の耳の部分を物理的な被弾から保護する耳部分保護覆い。
【請求項２】
請求項１記載の耳部分保護覆いにおいて、覆い部分と保護用ゴーグルのバンドへ装着する各種形状の固定用付属品各種にはそれぞれの対応部分には一定の間隔に止め具を通す孔を備えており、使用者が任意の孔に止め具を通し、覆い部分を固定用付属品へ固定することで様々な保護用ゴーグルのバンドの幅や厚さに対応可能であり且つ使用者の好み及び身体的特徴に合わせた調整が可能な構造である耳部分保護覆い。
【考案の詳細な説明】
【技術分野】
【０００１】本考案はサバイバルゲームにおいて、使用者の耳の部分を物理的な被弾から保護すると共に使用者の好み及び身体的特徴に合わせた調整が可能である構造を一つの物体に同時に設けた道具に関する。
【技術背景】
【０００２】世間に存在する趣味の一つに、サバイバルゲームと言う遊戯が存在する。
法律的に許可または違法性の無い玩具銃や軍装等を使用し、樹脂製の弾丸で撃ち合い仮想的に戦闘を体験するものである。基本的な規定としては、弾丸が参加者の身体及び所持する装備に命中することで一部例外を除き、致命的損傷と判断され、被弾者は一定の条件下において遊戯参加権を失効することになるというものである。また同時に、実際・架空を問わず存在する様々な軍隊またはそれに準ずる組織の正規の装備を忠実に再現する、一種のコスチュームプレイを楽しむことも範疇に含まれている。
【考案の開示】
【考案が解決しようとする課題】
【０００３】サバイバルゲームにおいて、肌が露出している部分は優先的に保護すべきことが常套となっており、殊顔面の保護においてはもはや必須であり、基本的な規定に含まれるのであるが、従来の道具の中には固定具合の不安定さや調整機能等を備えているものが存在しなかったこともあり耳部分の保護意識に関してはこの限りではないが、是非保護するべき部位である。
【課題を解決するための手段】
【０００４】使用者の着用している保護用ゴーグルの固定用バンドを当案件の耳部分保護覆いに付属する各種形状の固定用付属品各種を用いて挟み込むもしくは通す、またはパイルアンドフックを直接巻きつけ、それ自体を固定用付属品とする等して利用し、装着及び調整可能な構造を有し、且つ使用者の好み及び身体的特徴に合わせた調整が可能である構造を一つの物体に同時に設けた構造を有したもの。その構造により上記の課題を解決する手段とする。
【考案の効果】
【０００５】サバイバルゲームにおいて、肌が露出している部分は優先的に保護すべきことが常套となっており、殊顔面の保護においてはもはや必須であり、基本的な規定に含まれるのであるが、耳部分の保護に関しては従来の道具の中には固定具合が不安定な物や調整機能等を備えている物が存在しなかった。
【考案を実施するための最良の形態】
【０００６】使用者の着用している保護用ゴーグルの固定用バンドを当案件の耳部分保護覆いに付属する各種形状の固定用付属品各種を用いて挟み込むもしくは通す、またはパイルアンドフックを直接巻きつけ、それ自体を固定用付属品とする等して利用し、装着及び調整可能な構造を有し、且つ使用者の好み及び身体的特徴に合わせた調整が可能である構造を一つの物体に同時に設けた構造を有したもの。
【図面の簡単な説明】
【０００７】
【図１】  表正面図
【図２】  取付部分詳細
【図３】  各種形状の固定用付属品イ
【図４】  各種形状の固定用付属品ロ
【図５】  各種形状の固定用付属品ハ
【図６】  各種形状の固定用付属品ニ
【図１】
0003154045.tif 000003
【図２】
0003154045.tif 000004
【図３】
0003154045.tif 000005
【図４】
0003154045.tif 000006
【図５】
0003154045.tif 000007
【図６】
0003154045.tif 000008
【手続補正書】
【提出日】平成21年6月29日(2009.6.29)
【手続補正１】
【補正対象書類名】実用新案登録請求の範囲
【補正対象項目名】全文
【補正方法】変更
【補正の内容】
【実用新案登録請求の範囲】
【請求項１】
耳部分保護覆いは使用者の耳部分を覆う形状であり、固定は覆い部分と保護用ゴーグルのバンドへ装着する各種形状の固定用付属品各種にはそれぞれの対応部分に一定の間隔で止め具を通す孔を備えており、使用者が任意の孔に止め具を通し、覆い部分を固定用付属品へ固定することで行い、サバイバルゲームにおいて使用者の耳の部分を物理的な被弾から保護し、また様々な保護用ゴーグルのバンドの幅や厚さに対応可能であり且つ使用者の好み及び身体的特徴に合わせた調整が可能な構造である耳部分保護覆い。
(57)【要約】      （修正有）【課題】ゴルフのプレイ中にゴルフティー及びマーカーを簡単に出し入れができるようにした収納具を提供する。【解決手段】軟質ゴム体にゴルフティーとマーカーに合わせた円錐型の大小の孔を空けてゴルフティーとマーカーを挿入することによって落下しにくい様に工夫した。また、器具本体の裏には両面テープでベルト、バンドに粘着固定させるようにした。【選択図】図１
0003154085.tif 000002
【実用新案登録請求の範囲】
【請求項１】
軟質ゴムにゴルフティー及びマーカーの挿入に合った円錐型の孔を設けてゴルフティー及びマーカーが容易に出し入れ出来て、両面テープでベルトバンドに装着することを特徴としたゴルフティー、マーカー収納器。
【考案の詳細な説明】
【技術分野】
【０００１】  本考案は、ゴルフのティー及びマーカーを簡単に出し入れして使用できる器具に関するものである。
【背景技術】
【０００２】  現在は、ゴルフのプレー中にゴルフティーやマーカーをズボンのポケットに入れて持ち歩くことが多いが、ポケットの中で大小のティーやマーカーを手探りすることは不便を感じるし、雨の日はズボンの汚れも気になるところである。
【考案の開示】
【考案が解決しようとする課題】
【０００３】  この考案は、ゴルフティー及びマーカーを器具の孔に簡単に挿入できてズボンのベルトバンドに装着できるように工夫したものである。
【課題を解決するための手段】
【０００４】  本体の軟質ゴムの上面と前面にゴルフティー及びマーカーに合った円錐型の孔を空けて、本体の裏面には両面テープを粘着固定させてズボンのベルトバンドに接着、使用できるように工夫したものである。
【考案の効果】
【０００５】  この考案は、ゴルフティーとマーカーを同じところに集めることでプレー中の取り出しと収納が便利に行える。
【考案を実施するための最良の形態】
【０００６】  ゴルフティー及びマーカーを使用するとき、ゴルフティーとマーカーが上から目視できるので取り出しが便利である。
【実施例】
【０００７】（１）軟質ゴム本体の上面にゴルフティー用の円錐型の大小の孔を設ける。
（２）軟質ゴム本体の前面にマーカー用の円錐型の孔を設ける。
（３）軟質ゴム本体の裏側に両面テープを設ける。
この考案の一実施例は上述の如き構成で成るものであり、（３）によってズボンのベルトバンドに接着させて使用する。
【図面の簡単な説明】
【０００７】
【図１】本考案の実施例を示す斜視図である．
【図２】本考案の正面図である。
【図３】本考案の左側面図である。
【図４】本考案の一部切欠断面図である。
【符号の説明】
【００８】（１）軟質ゴム本体
（２）マーカー孔
（３）両面テープ
（４）ティー孔  大
（５）ティー孔  小
（６）ゴルフティー  大
（７）ゴルフティー  小
（８）マーカー
【図１】
0003154085.tif 000003
【図２】
0003154085.tif 000004
【図３】
0003154085.tif 000005
【図４】
0003154085.tif 000006
(57)【要約】      （修正有）【課題】水準測量用標尺いわゆるバカ棒の高さの違いの計算を容易にし、レベルの高い場所と低い場所の間違いをおこすことのない標尺を提供する。【解決手段】水準測量用標尺本体１の数値の表示３を上から下へ数値を大きくすることで、高さの違いの計算を容易にし、レベルの高い場所と低い場所の間違いをおこし易くしている問題点をなくす。【選択図】図１
0003154087.tif 000002
【実用新案登録請求の範囲】
【請求項１】
棒状本体の表面に記載した数値を上から下へ大きく表示していることを特徴とする逆数値水準測量用標尺
【考案の詳細な説明】
【技術分野】
【０００１】
本考案は、長さの数値を逆に設けた、水準測量用標尺、いわゆるバカ棒に関するものである。
【背景技術】
【０００２】
従来の水準測量用標尺は測定場所に垂直に立てて、オートレベル（水準儀）で数値を読み取るが、その数値は図４のように、下から上に行くほど数値が大きくなっている。
【考案の開示】
【考案が解決しようとする課題】
【０００３】
上記した従来の水準測量用標尺は、建築物建て方の時、柱の高さを揃えるためにも使用され、その数値の違いを揃えるためにライナーやモルタルなどで高さの調整を行う。
柱を立てるときは、レベルの低いところへライナーを置き高くしたり、モルタルを盛り高くするが、柱の立てる場所（図５-A・B・C）をオートレベル４（水準儀）で見ると図５-Aのように、一番高いところは数値が少なく（図５-D）、図５-Cの一番低いところは数値が大きい（図５-F）。この図では、Aの基礎が一番高くCの基礎が一番低い、
基礎の高さを揃えるために算出する計算方法は、低いレベルの大きい数値−高いレベルの小さい数値＝５０６−４８６＝２０となり２０ｍｍCの基礎を高くする計算である。
これでは建築現場に熟知していない建築作業員は、数値が大きい場所がレベルの高いところと勘違いし、図５-Aの基礎を２０ｍｍ高くしてしまう間違いをおこしやすい。
【課題を解決するための手段】
【０００４】
本考案は、水準測量用標尺の数値を上から下へ数値を大きくしているので、高さの違いを算出するのに大きい数値から小さい数値を引けば容易に算出できる。
レベルの高い場所は数値が大きく、低い場所は数値が小さく見えることで、レベルの高い場所と低い場所の間違いをおこし易くしている問題点を解決している。
【考案の効果】
【０００５】
上述の様に、本考案の逆表示水準測量用標尺は、レベルの高い場所は数値を大きく、低い場所は数値を小さく見えるので、建設現場に熟知していない建設作業員でも、高さの調整が間違いなく行うことができる。
【考案を実施するための最良の形態】
【０００６】
四角い板（棒又は箱）状の表面に、使用時の上から順に１ｍｍ単位が分かるように印をつけ、１cmごとに数値を表示することにより、レベルの高い場所は数値を大きく、低い場所は数値を小さく見えることを可能にする。
【実施例】
【０００７】
以下、添付図面に従って一実施例を説明する。
図６-A１・B１・C１の高さの違う柱の立つ基礎がある。それぞれの基礎に上から下に数値を大きくした水準測量用標尺を置きオートレベル４で高さを見ると、図６-A１＝５１４ｍｍ、図６-B１＝４９９ｍｍ、図６-C１＝４９４ｍｍである。図６-A１の一番高い基礎の数値が一番大きく５１４ｍｍを指している。一番低い基礎は図６-C１で４９４ｍｍを指していて数値が一番小さい。
この上から下に数値を大きくした水準測量用標尺を使用すると、大きな数値から小さな数値を引けば高さの違いが算出できるので、図６-C１の一番低い基礎は４９４ｍｍを指しているのから、５１４ｍｍ−４９４ｍｍ＝２０ｍｍとなり図６-C１の基礎にライナーかモルタルで２０ｍｍ高くなるように盛り上げれば図６-A１の基礎と同じレベルになることがすぐ容易に計算できる。
【図面の簡単な説明】
【０００８】
【図１】本考案の逆表示水準測量用標尺の正面図である。
【図２】本標尺の斜投影図である。
【図３】本標尺の拡大図である。
【図４】従来の水準測量用標尺の正面図である。
【図５】従来の測量方法の一実施例図である。
【図６】本考案の測量方法の一実施例図である。
【符号の説明】
【０００９】
１  本体
２  ミリメートル単位印
３  センチメートル単位数字表示
４  オートレベル（水準儀）
A  測量場
B  測量場
C  測量場
A１  測量場
B１  測量場
C１  測量場
D  Aを測量した時のオートレベル（水準儀）内の拡大図
E  Bを測量した時のオートレベル（水準儀）内の拡大図
F  Cを測量した時のオートレベル（水準儀）内の拡大図
G  A１を測量した時のオートレベル（水準儀）内の拡大図
H  B１を測量した時のオートレベル（水準儀）内の拡大図
I  C１を測量した時のオートレベル（水準儀）内の拡大図
【図１】
0003154087.tif 000003
【図２】
0003154087.tif 000004
【図３】
0003154087.tif 000005
【図４】
0003154087.tif 000006
【図５】
0003154087.tif 000007
【図６】
0003154087.tif 000008
【手続補正書】
【提出日】平成21年7月28日(2009.7.28)
【手続補正１】
【補正対象書類名】実用新案登録請求の範囲
【補正対象項目名】全文
【補正方法】変更
【補正の内容】
【実用新案登録請求の範囲】
【請求項１】
水準儀で測量する時、縦長な水準測量用標尺を立てて使うが、その標尺の表面に表示されているセンチメートル単位の数字が、標尺の上から下に向かって値を大きく表示していることを特徴とする逆数値水準測量用標尺
(57)【要約】      （修正有）【課題】カード化した教材であり、教室などの全体学習の場で教師が用いることにより、生徒の活用に関する記憶の確認と定着を促すことができる文法の用言活用表を提供する。【解決手段】カード本体１の表面に用言の単語２と活用の種類３を印刷し、裏面に活用形とそれぞれの活用語尾を印刷する。用言の活用表を表面と裏面に分割して印刷したカードとすることで、用言の活用について、教室などの全体学習の場で記憶の確認と定着を図る教材として役立てられる様に構成する。【選択図】図１
0003154030.tif 000002
【実用新案登録請求の範囲】
【請求項１】
国語文法の用言活用表をカード化することで、活用の種類ごとにそれぞれの活用のパターンを反復確認して記憶定着を図ることを特徴とする用言の活用カード教材。
【考案の詳細な説明】
【技術分野】
【０００１】
本考案は、用言の活用表をカード化した文法授業用教材である。
【背景技術】
【０００２】
中学校並びに高等学校の国文法の授業では、教科書や便覧、問題集を使用した学習を行っているが、用言の活用を教室にいる教師と生徒間で反復的に確認する教材は市販されていない。
【考案の概要】
【考案が解決しようとする課題】
【０００３】
文法の学習は現代国語、古典共に反復練習によって理解が深まり記憶が定着するものである。現行の便覧や問題集を使用するだけでなく、教師と生徒の間で発問と回答を繰り返す本教材を使用することで、用言の活用への理解が促され記憶が定着する。又、教師には個々に教材を開発作成する時間的余裕がないことが多く、本教材を使用することで生徒指導や授業準備の時間を確保する助けとなる。
【課題を解決するための手段】
【０００４】
本考案は、文法の用言活用表をカード化した教材である。カードの表面は単語の基本形と活用の種類とし、裏面は未然形から命令形までの活用語尾とする。表と裏に内容項目を分けることで生徒に考える時間を与え、全体の場で一斉に答えを反復的に確認することができる教材という点において従来の問題を解決することができる。
【考案の効果】
【０００５】
上述のように本考案の用言活用カードは、用言の活用表をカード化したものである。教師が生徒と意思疎通を図りながら記憶を繰り返し確認することで、学習内容の本質的理解を促し、且つ記憶を定着させるという教材的効果がある。
【考案を実施するための形態】
【０００６】
まず用言の活用について基本事項を学習した上で、理解の確認のために本教材を使用する。カードの表面にある単語と活用の種類を見せて、未然形から命令形までの活用語尾を口答で答えるよう全体に指示する。答えが正しいことの確認としてカードを裏返して正解を見せながら教師が読み上げる。記憶が定着していないカードについては何度も繰り返して記憶の定着を図る。問題集などの個別学習の前段階として、また総復習としても利用することができる。
【実施例】
【０００７】
以下、添付した図面に従って実施例を説明する。１は適度な耐久性と軽さを考慮した縦４０センチ横１４センチ程度のカード。２は用言の単語。３はその活用の種類。この表面を見せて一斉に未然形から命令形までの活用語尾を答えるよう指示する。
【０００８】
４は活用形、５はそれぞれの活用形における活用語尾である。本裏面を見せて読み上げることで視覚聴覚の両面から正解を確認する。
【０００９】
本考案の一実施例は上述の如き構成からなるものである。カード１の表面を見せて一斉に活用語尾を答えるよう指示し、生徒の答えを受けて裏面を見せて読み上げることで視覚聴覚両面から正解を確認する。
【図面の簡単な説明】
【００１０】
【図１】本考案の用言活用カードの実施例を示す表面である。
【図２】本カードの裏面である。
【符号の説明】
【００１１】
１  用言活用カード本体  
２  用言の単語  
３  活用の種類  
４  活用形  
５  活用語尾
【図１】
0003154030.tif 000003
【図２】
0003154030.tif 000004
【手続補正書】
【提出日】平成21年7月31日(2009.7.31)
【手続補正１】
【補正対象書類名】実用新案登録請求の範囲
【補正対象項目名】全文
【補正方法】変更
【補正の内容】
【実用新案登録請求の範囲】
【請求項１】
国語文法の用言活用表をもとに、カードの表面に用言の単語と活用の種類を、カードの裏面に活用形と活用語尾を分けて印刷することで、活用の種類ごとにそれぞれの活用のパターンを反復確認して記憶定着を図ることを特徴とする用言の活用カード教材。
(57)【要約】      （修正有）【課題】小さい機体で殺菌と、除臭と、清浄とを確実に行える空気清浄機を提供する。【解決手段】空気清浄機は、本体ケースと、送風機部材と、上下対称配列のＵＶ光源と、光触媒とから構成される。送風機部材は外部から空気を吸入し、ＵＶ光源と光触媒は送風機部材の後部に設け送風路となり、吸い込んだ空気を送風路に通過させる時、光触媒にＵＶ光源を照射すると、光励起によって、空気中にフリーラジカルを生じ、空気中の細菌，塵埃と浮遊物などを分解する。【選択図】図３
0003154670.tif 000002
【実用新案登録請求の範囲】
【請求項１】
空気清浄機であって、本体ケースと、送風機部材と、上下対称配列のＵＶ光源と、光触媒とから構成され、その特徴は、送風機部材は外部から空気を吸入する、前述ＵＶ光源と光触媒は該送風機部材の後部に設け送風路となり、吸い込んだ空気を送風路に通過させる時、光触媒にＵＶ光源を照射すると、光励起によって、空気中にフリーラジカルを生じ、空気中の細菌，塵埃と浮遊物などを分解することを特徴とする空気清浄機。
【請求項２】
前記空気清浄機が送風機部材と、ＵＶ光源と、光触媒を本体ケースに設置され、本体ケースの前後部に吸気口と排気口を設けたことを特徴とする請求項１に記載の空気清浄機。
【請求項３】
前記ＵＶ光源がＵＶ発光ダイオード（ＵＶ ＬＥＤ）と、ＵＶランプとその他のＵＶ発光できる発光素子であることを特徴とする請求項１に記載の空気清浄機。
【請求項４】
前記送風機部材と、ＵＶ光源と、光触媒が同一本体ケースに設けられ、本体ケースの前後部に吸気口と排気口を設けたことを特徴とする請求項３に記載の空気清浄機。
【考案の詳細な説明】
【技術分野】
【０００１】
この考案は、室内の空気中の雑菌を殺菌する殺菌素子を有する空気清浄機に関する。
【背景技術】
【０００２】
従来、この種の空気清浄機として、本体ケース内に設けられた送風機の駆動により本体ケース内に吸い込んだ空気に、殺菌素子からの高圧電撃、或いは、紫外線を照射して除菌すると共に、吸い込んだ空気中の塵埃と臭気を、集塵フィルターと脱臭フィルターからなるフィルターユニットで除去し、排気口から室内へ吹き出すものが知られている。
【考案の開示】
【考案が解決しようとする課題】
【０００３】
この考案は、空気清浄機であって、本体ケースと、送風機部材と、上下対称配列のＵＶ光源と、光触媒とから構成され、光触媒にＵＶ光源を照射すると、光励起によって、空気中にフリーラジカルを生じ、空気中の細菌，塵埃と浮遊物などを分解することを提供することを課題とする。
【課題を解決するための手段】
【０００４】
空気清浄機において、本体ケースと、送風機部材と、上下対称配列のＵＶ光源と、光触媒とから構成され、送風機部材は外部から空気を吸入する、前述ＵＶ光源と光触媒は該送風機部材の後部に設け送風路となり、吸い込んだ空気を送風路に通過させる時、光触媒にＵＶ光源を照射すると、光励起によって、空気中にフリーラジカルを生じ、空気中の細菌，塵埃と浮遊物などを分解する。
前記空気清浄機のＵＶ光源がＵＶ発光ダイオード（ＵＶ ＬＥＤ）と、ＵＶランプとその他のＵＶ発光できる発光素子である。
前記空気清浄機が送風機部材と、ＵＶ光源と、光触媒が同一本体ケースに設けられ、本体ケースの前後部に吸気口と排気口を設けた。
前記空気清浄機の後部の排気口の上下端に、レールを設けて、精油と芳香剤などを嵌められる。
【考案の効果】
【０００５】
この考案によれば、空気清浄機内の空気中にフリーラジカルを生じ、空気中の細菌，塵埃と浮遊物などを分解するから、従来の高圧電殺菌よりは、機体が小さくなり、従来の殺菌灯よりは、殺菌効果がより確実。より小さい機体で殺菌と、除臭と、清浄との機能が一つの機体で確実提供できる。
【実施例１】
【０００６】
図１〜４に、実施例１による空気清浄機の斜視図と断面図を開示する。図面によれば、この考案による空気清浄機構造は、本体ケース１と、本体ケース１に設けた送風機部材２と、送風機部材２の後部に設けた上下対称配列のＵＶ光源３と、光触媒４とから構成され、送風機部材２は外部から空気を吸入する、前述ＵＶ光源３と光触媒４は該送風機部材２の後部に設け送風路５となり、吸い込んだ空気を送風路５に通過させる時、光触媒４にＵＶ光源３を照射すると、光励起によって、空気中にフリーラジカルを生じ、空気中の細菌，塵埃と浮遊物などを分解する。
前記空気清浄機のＵＶ光源３がＵＶ発光ダイオード（ＵＶ ＬＥＤ）と、ＵＶランプとその他のＵＶ発光できる発光素子である。
前記空気清浄機が送風機部材２と、ＵＶ光源３と、光触媒４が同一本体ケース１に設けられ、本体ケース１の前後部に吸気口１１と排気口１２を設けた。
【実施例２】
【０００７】
前述空気清浄機の本体ケース１の後部の排気口１２の上下端に、レール１２１，１２２を設けて、芳香剤（或いは精油）６を嵌められる。芳香剤６は平板６１の上に設け、平板６１の上下側は、レール１２１，１２２に合わせて、適当な位置に嵌める。
ＵＶ光源３にスイッチを設置し、スイッチのオンオフするより、殺菌除く空気清浄と除臭だけの空気清浄機もなれます。
【図面の簡単な説明】
【０００８】
【図１】この考案の立体斜視図である。
【図２】この考案の構造を示す斜視図である。
【図３】この考案の構造を示す断面図である。
【図４】この考案第１の実施例の構造を示す断面図である。
【図５】この考案第２の実施例の立体斜視図である。
【符号の説明】
【０００９】
１         本体ケース
１１       吸気口
１２       排気口
１２１            レール
１２２            レール
２                    送風機部材
３                    ＵＶ光源
４                    光触媒
５                    送風路
６                    脱臭部
６１       平板
【図１】
0003154670.tif 000003
【図２】
0003154670.tif 000004
【図３】
0003154670.tif 000005
【図４】
0003154670.tif 000006
【図５】
0003154670.tif 000007
(57)【要約】      （修正有）【課題】部品の簡略化でコスト削減、熱低減の仕組みなどで使用能率と年数を上げる整流器の出力装置構造を提供する。【解決手段】整流器の出力装置構造において、出力装置２は、銅板本体２１と出力銅板は複数の金属管を介して連結し、一体となって分流器２２となり、該銅板本体の上に複数組の貫通孔２１０を設け、ダイオードと連結し整流を行い、さらに分流器で分流させ、出力端２３０の出力銅板２３から出力する、よって、整流、分流、出力と一体化なる。前記銅板本体には、進水孔と出水孔を設けて、互いに流れは通る。【選択図】図２
0003154615.tif 000002
【実用新案登録請求の範囲】
【請求項１】
整流器の出力装置構造であって、その特徴は、前記出力装置は、銅板本体と出力銅板は複数の金属管を介して連結し、一体となって分流器となり、該銅板本体の上に複数組の貫通孔を設け、ダイオードと連結し整流を行い、さらに分流器で分流させ、出力端の出力銅板から出力する、よって、整流，分流，出力と一体化なることを特徴とするの整流器の出力装置構造。
【請求項２】
前記銅板本体には、進水孔と出水孔を設けて，互いに流れは通ることを特徴とする請求項１に記載の整流器の出力装置構造。
【請求項３】
前記出力装置は、整流器の内に取り付けて、変圧器と連結し、該出力装置の出力端は、直接に整流器の外に延在して、負荷と連結使用できることを特徴とする請求項１に記載の整流器の出力装置構造。
【考案の詳細な説明】
【技術分野】
【０００１】
この考案は整流器の出力装置構造に関し、特に部品の簡略化でコスト削減と、熱下がるの仕組みで使用能率と年数の上げと、整流器の出力装置構造に関する。
【背景技術】
【０００２】
図１に従来の整流器の出力装置構造を開示する。図面によれば、出力装置１は、銅板１０に貫通孔１００を設けて負荷と連結する，その反対側端にねじ孔１１を設けて、ねじ１１０で分流器１２と締め付ける、それで、整流と分流の性能をともに提供できる、該分流器１２は出力銅板１３とねじで締め付ける，出力銅板１３は複数圭鋼片の変圧器の出力結合のゆえ、変圧器の出力を分流器と銅板１０経由で出力する。
【考案の開示】
【考案が解決しようとする課題】
【０００３】
前記従来の出力装置構造では、下記の欠点はあります。
１．出力装置１、分流器１２、出力銅板１３とはねじで締め付けるが、組み立て時に，不便はあること。
２．出力装置１には余分の部品を使って、コストとしては、不利であること。
３．分流器１２は、より高い熱が発生する、送風機で冷却するが、冷却不足所があって、部品の寿命にはよくない。
この考案は、以上の欠陥を改善し、特に部品の簡略化でコスト削減、熱下がるの仕組みなどで使用能率と年数の上げる整流器の出力装置構造を提供することを課題とする。
【課題を解決するための手段】
【０００４】
そこで、本考案者は従来の技術に見られる欠点に鑑み鋭意研究を重ねた結果、整流器の出力装置構造において、出力装置は、銅板本体と出力銅板は複数の金属管を介して連結し、一体となって分流器となり、該銅板本体の上に複数組の貫通孔を設け、ダイオードと連結し整流を行い、さらに分流器で分流させ、出力端の出力銅板から出力する、よって、整流，分流，出力と一体化なる。
前記銅板本体には、進水孔と出水孔を設けて，互いに流れは通る。
前記出力装置は、整流器の内に取り付けて、変圧器と連結し、該出力装置の出力端は、直接に整流器の外に延在して、負荷と連結使用できる。
【考案の効果】
【０００５】
この考案によれば、下記の効果があります：
１．銅板本体と出力銅板は複数の金属管を介して連結し、一体となって分流器となり整流，分流，出力と一体化なり，部品は少なくなって、組み立て時に，便利と早くなるから、製造効率には有利。
２．部品は少なくなるから、材料コスト削減こともできる。
３．水循環冷却システムを使用するので、冷却不足問題を無くし，装置の運転効率が高める。
４．水循環冷却システムを使用するので、冷却不足問題を無くし，部品の寿命が２年長く伸ばすことができる。
【実施例】
【０００６】
本考案の整流器の出力装置構造は、図２で示されるように、出力装置２は、銅板本体２１と出力銅板２２は複数の金属管を介して連結し、一体となって分流器２２となり、該銅板本体２１の上に複数組の貫通孔２１０を設け、ダイオード２４と連結し整流を行い（図３参照）、さらに分流器２２で分流させ、出力端の出力銅板２３から出力する、よって、整流，分流，出力と一体化なる。
前記銅板本体には、進水孔２１２と出水孔２１３を設けて，互いに流れは通る（図４，５参照）。
前記出力装置は、整流器の内に取り付けて、変圧器と連結し、該出力装置の出力端は、直接に整流器の外に延在して、負荷と連結使用できる。
【図面の簡単な説明】
【０００７】
【図１】従来の出力装置の構造を示した説明図である。
【図２】この考案の出力装置の構造を示した斜視図である。
【図３】この考案の出力装置とダイオード連結の説明図である。
【図４】この考案の出力装置の進水孔と出水孔を示した説明図である。
【図５】この考案の出力装置の水循環冷却システムを示した説明図である。
【図６】この考案の出力装置と負荷連結の説明図である。
【符号の説明】
【０００８】
１          出力装置
１０       銅板
１００     貫通孔
１１       ねじ孔
１１０     ねじ
１２       分流器
１３       出力銅板
２         出力装置
２１       銅板本体
２１０     貫通孔
２１１     接孔
２１２     進水孔
２１３     出水孔
２２       分流器
２３       出力銅板
２３０     出力端
２３１     接孔
２３０１    連接孔
２４       ダイオード
３          負荷
【図１】
0003154615.tif 000003
【図２】
0003154615.tif 000004
【図３】
0003154615.tif 000005
【図４】
0003154615.tif 000006
【図５】
0003154615.tif 000007
【図６】
0003154615.tif 000008
(57)【要約】【課題】装着感が良好であり、不用意に脱げたりすることもない編み手袋を提供する。【解決手段】編み糸により連続的に編成された５本の指袋１１，１２，１３，１４，１５と、これらの指袋１１〜１５に連続して編成された胴部１６，１８とから成る。人差し指、中指、薬指、及び小指の各指袋１１，１２，１３，１４，１５の基部に続いて編成された４本胴部１６の、少なくとも一部に、他の胴部１６，１８よりも収縮させた収縮部２２を備える。収縮部２２は、４本胴部１６を編成する編み糸にゴム糸を加えて編成されたものである。【選択図】図１
0003154687.tif 000002
【実用新案登録請求の範囲】
【請求項１】
編み糸により連続的に編成された５本の指袋と、これらの指袋に連続して編成された胴部とから成る編み手袋において、人差し指、中指、薬指、及び小指の各指袋の基部に続いて編成された４本胴部の少なくとも一部に、他の胴部よりも収縮させた収縮部を設けたことを特徴とする編み手袋。
【請求項２】
前記収縮部は、前記４本胴部を編成する編み糸にゴム糸を加えて編成されたものである請求項１記載の編み手袋。
【請求項３】
前記収縮部は、前記４本胴部のうちの、親指袋から連続した５本胴部に繋がる部分に形成されている請求項１記載の編み手袋。
【請求項４】
前記収縮部は、前記４本胴部の約半分の幅に形成されている請求項３記載の編み手袋。
【考案の詳細な説明】
【技術分野】
【０００１】
この考案は、編み糸を横編みにより編んで形成された軍手等の編み手袋に関する。
【背景技術】
【０００２】
従来の編み手袋は、特許文献１〜３に開示されているように、親指袋を除く４本の指袋が編成され、それらに連続して掌甲部の４本胴部が編成され、掌甲部の略半分程度を編成した状態で、編成された親指袋が繋がっている。さらに、親指袋を含む５本胴部が編成され、続いて手首部が編成されて成るものである。
【０００３】
この軍手等の編手袋は、伸縮自在であるが、大人の掌の大きさに合わせてある程度大きめに作られており、また指の広がりを考慮して、４本胴部の幅に余裕を持たせて作られている。
【先行技術文献】
【特許文献】
【０００４】
【特許文献１】特開２００１−１１７１４号公報
【特許文献２】特開２０００−１５４４０８号公報
【特許文献３】特開平１１−６１５２６号公報
【考案の概要】
【考案が解決しようとする課題】
【０００５】
しかし、この編み手袋を装着して掌を握ったり開いたりする動作を行う場合や、その他の作業を行う場合、４本胴部の余裕が掌と編み手袋のフィット感を阻害し、嵌め心地が悪いものであった。さらに、荷物を持ったり握ったりする作業においては、手袋が脱げそうになったり、何かを把持した感じが良くないという問題があった。
【０００６】
この考案は、上記背景技術に鑑みて成されたもので、装着感が良好であり、不用意に脱げたりすることもない編み手袋を提供することを目的とする。
【課題を解決するための手段】
【０００７】
この考案は、編み糸により連続的に編成された５本の指袋と、これらの指袋に連続して編成された胴部とから成る編み手袋において、人差し指、中指、薬指、及び小指の各指袋の基部に続いて編成された４本胴部の少なくとも一部に、他の胴部よりも収縮させた収縮部を設けた編み手袋である。
【０００８】
前記収縮部は、前記４本胴部を編成する編み糸にゴム糸を加えて編成されたものである。また、前記収縮部は、前記４本胴部のうちの、親指袋から連続した５本胴部に繋がる部分に形成されているものである。さらに、前記収縮部は、前記４本胴部の約半分の幅に形成されていると良い。
【考案の効果】
【０００９】
この考案の編み手袋は、編み手袋を装着した際のフィット感が良好であり、不用意に脱げることもなく、荷物を持ったり握ったりする動作も安心して行うことができるものである。
【図面の簡単な説明】
【００１０】
【図１】この考案の編み手袋の掌甲側を示す平面図である。
【図２】この実施形態の編み手袋の掌側を示す平面図。
【考案を実施するための形態】
【００１１】
以下、この考案の編み手袋の一実施形態について、図１、図２を基にして説明する。この実施形態の編み手袋１０は、横編みによる編み物で形成された手袋であって、小指袋１１、薬指袋１２、中指袋１３、人指し指袋１４、及び親指袋１５の５本の指袋が各々連続的に編成されている。さらに、小指袋１１、薬指袋１２、中指袋１３、人指し指袋１４の４本の指袋の基部に続いて、４本胴部１６が編成されている。さらに、親指袋１５と４本胴部１６に続いて、５本胴部１８が編成され、続いて、ゴム編み部２０が編成されている。ゴム編み部２０には、数本のゴム糸が編み込まれている。
【００１２】
４本胴部１６の少なくとも一部、ここでは約１／２の幅で、親指袋１５から連続した５本胴部１８に繋がる部分は、筒状に編成される編み糸にゴム糸が編み込まれた収縮部２２が形成されている。この部分の編み組織はその前後と同様の横編みの編み組織で、編成方向にゴム糸が編み込まれている。これにより、その前の４本胴部１６の全周長よりも僅かに短い全周長に編成されている。
【００１３】
また、編み手袋１０の掌側には、ゴムや樹脂による滑り止め２４が塗布されている。なお、編成する糸の種類は適宜選択可能なもので、綿や合繊繊維、及びこれらを混紡した繊維でも良い。さらに、強度や用途等に鑑みてアラミド繊維で編成したものや、各種コーティングを施したものでも良い。
【００１４】
この実施形態の編み手袋１０の製造方法は、横編みにより先ず親指袋１５を除く４本の指袋１１，１２，１３，１４を編成する。この後、それらに連続して掌甲部の４本胴部１６を編成する。そして、４本胴部１６の約半分程度を編成した後、編み糸にゴム糸を加えてさらに４本胴部１６を編成する。このゴム糸を加えて編成した部分が収縮部２２となる。さらに、親指袋１５を編成して、親指袋１５と４本胴部１６に続いて、５本胴部１８を編成する。この後、手首部に位置するゴム編み部２０を編成する。
【００１５】
この実施形態の編み手袋１０によれば、４本胴部１６にゴム糸を加えた収縮部２２が形成されているので、装着者の掌に良好にフィットし、装着感が良く、作業性も優れたものと成る。また、掌に確実に装着されるので、不用意に脱げることが無く、作業の安全性を高めるものである。
【００１６】
なお、この発明の編み手袋は上記実施形態に限定されるものではなく、収縮部の形成において、ゴム糸の本数、種類は適宜選択可能であり、ゴム糸以外に編み組織を変えて収縮部を形成しても良く、４本胴部の他の部分よりも僅かに収縮した部分が形成されたものであればよい。
【符号の説明】
【００１７】
１０  編み手袋
１１  小指袋
１２  薬指袋
１３  中指袋
１４  人差し指袋
１５  親指袋
１６  ４本胴部
１８  ５本胴部
２０  ゴム編み部
２２  収縮部
【図１】
0003154687.tif 000003
【図２】
0003154687.tif 000004
(57)【要約】      （修正有）【課題】継手とフラフープ本体の接触部分に掛かる衝撃力或は変形力を緩和或は吸収して、フラフープ本体の破損を可及的に少なくし、且つフラフープ本体の円形状を滑らかにして新体操競技がより円滑に行うことのできるフラフープ用継手を提供する。【解決手段】全体が柔軟な合成樹脂からなり、両端に窪みを有し、この窪み間に貫通する中心孔を設け、フラフープ本体に挿着自在な太さの継手本体と、この継手本体の中心孔に芯パイプを挿入固定して芯パイプの両端を前記窪みの夫々の底部に覗かせてなるものである。【選択図】図１
0003154651.tif 000002
【実用新案登録請求の範囲】
【請求項１】
全体が柔軟な合成樹脂からなり、両端に窪みを有し、この窪み間に貫通する中心孔を設け、フラフープ本体に挿着自在な太さの継手本体と、この継手本体の中心孔に芯パイプを挿入固定して芯パイプの両端を前記窪みの夫々の底部に覗かせてなるフラフープ用継手。
【請求項２】
請求項１記載の継手をフラフープ本体に挿着してなるフラフープ。
【考案の詳細な説明】
【技術分野】
【０００１】
本考案は、新体操競技などに用いるフラフープの継手に関する。
【背景技術】
【０００２】
従来この種のフラフープは、合成樹脂製の中空パイプで直径１メートルほどのリング状のフラフープ本体の継ぎ目に、硬質な継手を差込み接着している。
【０００３】
然し乍らこのフラフープは、殊に新体操競技などでは高く投げたりするため継ぎ目に強い衝撃や変形力が掛かり、そのため殊に継手の端部と接触する部分のフラフープ本体が磨り減ったり歪んだりして破損することが多く、使用に耐え得ないものとなる恐れがある。
【考案の概要】
【考案が解決しようとする課題】
【０００４】
そこで本考案は、継手とフラフープ本体の接触部分に掛かる衝撃力或は変形力を緩和或は吸収して、フラフープ本体の破損を可及的に少なくし、且つフラフープ本体の円形状を滑らかにして新体操競技がより円滑に行うことのできるようにしたものである。
【課題を解決するための手段】
【０００５】
全体が柔軟な合成樹脂からなり、両端に窪みを有し、この窪み間に貫通する中心孔を設け、フラフープ本体に挿着自在な太さの継手本体と、この継手本体の中心孔に芯パイプを挿入固定して芯パイプの両端を前記窪みの夫々の底部に覗かせてなるものである。
【考案の効果】
【０００６】
本考案の効果として、フラフープ本体に装着することにより、フラフープ本体に強い衝撃、変形力が掛かって継手本体の窪みが変形して衝撃力を吸収し、フラフープ本体の継目部分は破損することなく、且つ滑らかな円形状を維持し、スムーズな体操、演技を行うことができるようになる。
【実施例】
【０００７】
全体が柔軟な塩化ビニール等の合成樹脂からなり、両端に窪み１，１を有し、この窪み間１，１に貫通する中心孔２を設け、フラフープ本体３に挿着自在な太さの継手本体４と、この継手本体４の中心孔２にアルミ製の芯パイプ５を挿入固定して芯パイプ５の両端を拡口し、かしめて前記窪み１，１の夫々の底部１’に覗かせてなるものである。
【０００８】
これを使用するには継手本体４をフラフープ本体３の中空に接着剤等を介して挿入固定する。挿入された継手本体４はフラフープ本体３に強い衝撃が掛かっても図２のように窪み１，１部分が変形して衝撃を吸収し、フラフープ本体３と継手本体４との接触部分は磨り減ったり破損することなく、又滑らかな円形状が維持或は保持されてスムーズな演技ができる。
【図面の簡単な説明】
【０００９】
【図１】本考案に係る継手をフラフープ本体に挿着下状態の断面部分説明図。
【図２】継手本体の変形度の拡大説明図。
【符号の説明】
【００１０】
１，１：窪み
１’：底部
２： 中心孔
３：フラフープ本体
４：継手本体
５：芯パイプ
【図１】
0003154651.tif 000003
【図２】
0003154651.tif 000004
(57)【要約】      （修正有）【課題】天板に載置された被検者とともに操作盤がオイフで覆われている場合でも、操作盤の操作性が良好で、操作に際し被検者の上のオイフが引張られることがないＸ線透視撮影装置を提供する。【解決手段】操作盤６は、操作面上の天板５側に係止具６ｂを天板５と反対側に係止具６ａを配設した構造である。係止具６ａ、６ｂは、断面が台形であり中央に空洞を有し、上面から前記空洞に至る溝を有しており、弾性体からなる構造である。術者Ｄは指でオイフ８を該溝に押し込むことでオイフ８を係止具６ａ、６ｂに留めることができる。オイフ８を２個の係止具６ａ、６ｂで余裕を持たせて保持することにより、スイッチやレバーを的確に触ることができその形状を認識して操作できるので誤操作を防止できる。【選択図】図１
0003154653.tif 000002
【実用新案登録請求の範囲】
【請求項１】
天板に保持される操作盤を備え、前記天板に載置された被検者にＸ線を照射して透視撮影を行うＸ線透視撮影装置において、前記操作盤には上方に並設された２枚の弾性部材でオイフを保持する侠持部を形成する係止具を配設したことを特徴とするＸ線透視撮影装置。
【請求項２】
前記係止具は前記操作盤の操作面上で前記天板側と前記天板の反対側に配設されることを特徴とする請求項１記載のＸ線透視撮影装置。
【考案の詳細な説明】
【技術分野】
【０００１】
本考案は、Ｘ線透視撮影装置に係り、特に天板に載置された被検者とともにオイフ（手術用掛け布）で覆われた操作盤の操作性の改善に関する。
【背景技術】
【０００２】
Ｘ線透視撮影装置は天板に載置された被検者にＸ線を照射するＸ線管と、Ｘ線管を保持するＸ線管保持装置と、被検者を透過したＸ線画像を検出するＸ線検出器と、Ｘ線検出器で得られた画像信号を処理する画像処理装置などで構成されている。天板にはＸ線管保持装置や画像処理装置を操作する操作盤が着脱可能に保持されている。該操作盤は配設されているスイッチやジョイスティックレバーなどで操作される。
【０００３】
術者は多くの場合被検者とともに操作盤にもオイフを掛け、被検者やモニタ画面を見ながら操作盤を操作する。このため、手元を見ずに操作できるように操作盤には形状が相違するスイッチやレバーが配設されている。
【先行技術文献】
【特許文献】
【０００４】
【特許文献１】特開２００１−３２９６９１号公報
【考案の概要】
【考案が解決しようとする課題】
【０００５】
図３は、従来の操作盤３６とオイフ８の状態を示す図である。図３で示すとおり、天板５に載置された被検者Ｍとともに従来の操作盤３６がオイフ８で覆われている場合、垂れ下がったオイフ８の自重でオイフ８が引張られ操作盤３６を操作し難いという問題がある。またレバーやスイッチの操作に際し、被検者Ｍの上のオイフ８が引張られることがある。
【課題を解決するための手段】
【０００６】
天板に保持される操作盤を備え、前記天板に載置された被検者にＸ線を照射して透視撮影を行うＸ線透視撮影装置において、前記操作盤には上方に並設された２枚の弾性部材でオイフを保持する侠持部を形成する係止具を配設したものである。しかも前記係止具は前記操作盤の操作面上で前記天板側と前記天板の反対側に配設される。したがって垂れ下がったオイフは係止具で保持でき自重で引張られることはなく、操作盤の操作中に被検者の上のオイフが引張られることもない
【考案の効果】
【０００７】
操作盤の上のオイフを操作面に配設された２個の係止具で余裕を持たせて保持することにより、スイッチやレバーを操作する際に被検者の上のオイフや垂れ下がったオイフが引張られることがなく、スイッチやレバーを的確に触ることができその形状を認識して操作できるので誤操作を防止できる。
【図面の簡単な説明】
【０００８】
【図１】本考案の実施例による操作盤の構造を示す図である。
【図２】本考案の実施例によるＸ線透視撮影装置の概要を示す図である。
【図３】従来の操作盤とオイフの状態を示す図である。
【考案を実施するための形態】
【０００９】
本考案の実施例によるＸ線透視撮影装置は、天板に載置された被検者にＸ線を照射するＸ線管と、前記被検者を透過したＸ線画像を検出するＸ線検出器と、前記天板に保持される操作盤などを備えている。
【実施例】
【００１０】
本考案の実施例について図１、図２を参照して説明する。図１は、本考案の実施例による操作盤６の構造を示す図である。図２は、本考案の実施例によるＸ線透視撮影装置の概要を示す図である。
【００１１】
本考案の実施例によるＸ線透視撮影装置は、図２に示すとおり、検診台基台４に移動可能に保持される天板５に載置された被検者ＭにＸ線を照射するＸ線管１と、被検者Ｍを透過したＸ線画像を検出するＸ線検出器２と、被検者Ｍを挟んでＸ線管１とＸ線検出器２を対向配置するＣアーム３と、天板５に保持される操作盤６と、Ｘ線画像を表示するモニタ７などで構成される。術者Ｄは、図１（３）に示すように被検者Ｍと操作盤６にオイフ８を掛け被検者Ｍとモニタ７を見ながら操作盤６を操作する。
【００１２】
本考案の実施例による操作盤６は、図１（１）に示すとおり、操作面上の天板５側に係止具６ｂを天板５と反対側に係止具６ａを配設した構造である。係止具６ａ、６ｂは、例えば図１（２）に示すとおり、断面が台形であり中央に空洞を有し、上面から前記空洞に至る溝を有しており、弾性体からなる構造である。術者Ｄは指でオイフ８を該溝に押し込むことでオイフ８を係止具６ａ、６ｂに留めることができる。
【００１３】
本考案は以上の構造であるから、図１に示すとおり、操作盤６の上のオイフ８を操作面に配設された２個の係止具６ａ、６ｂで余裕を持たせて保持することにより、スイッチやレバーを操作する際に被検者Ｍの上のオイフ８や垂れ下がったオイフ８が引張られることがなく、スイッチやレバーを的確に触ることができその形状を認識して操作できるので誤操作を防止できる。一方オイフ８を取り除くときは、引張るだけで容易に係止具６ａ、６ｂから外すことができる。
【００１４】
図に示す実施例においては、オイフ８を係止具６ａ、６ｂで保持しているが、代わりにばね力で挟む構造のクリップで置き換えても本考案は適用可能である。あるいは、弾性板に複数の十字あるいは直線状の溝を形成しこの溝にオイフ８を押し込んで保持する構造の止め具で置き換えてもよい。上述のとおり本考案は図示例に限定されるものではなく種々の変形例を包含する。
【産業上の利用可能性】
【００１５】
本考案は、Ｘ線透視撮影装置に係り、特に天板に載置された被検者とともにオイフで覆われた操作盤の操作性の改善に利用の可能性がある。
【符号の説明】
【００１６】
１  Ｘ線管
２  Ｘ線検出器
３  Ｃアーム
４  検診台基台
５  天板
６  操作盤
６ａ  係止具
６ｂ  係止具
７  モニタ
８  オイフ
３６  操作盤
Ｄ  術者
Ｍ  被検者
【図１】
0003154653.tif 000003
【図２】
0003154653.tif 000004
【図３】
0003154653.tif 000005